(57)【特許請求の範囲】
【請求項１】
窓枠または該窓枠内に配置される障子の框枠に取り付けられるベースと、
前記ベースの見付け方向の一端側に配置されるスライダと、
前記ベースの見付け方向の他端側に配置されて該ベースに対して突没するストッパと、
一端が前記スライダに回動自在に連結され、他端が前記ストッパに回転自在に連結されるリンクと、
前記スライダと前記ベースとの間に配置されて前記スライダを前記一端側に付勢し、前記スライダの前記他端側へのスライド中に付勢力が増加し続けるように設けられる付勢部材と、
前記スライダを前記付勢部材の付勢力に抗して前記他端側にスライドさせることで、前記ストッパを前記リンクを介して前記ベースより突出させる回動自在なカムとを備え、
前記カムは、キー操作可能に設けられるとともに、前記スライダに設けられたカム溝に係合するピンを有し、
前記スライダのカム溝は、直線状の直線部と、前記直線部の前記ピンの移動端に対応する端部に設けられた係止部とで構成され、
前記係止部は、前記直線部に対して前記付勢部材の付勢方向とは反対側に向けて窪み、かつ前記カムの回動中心を通る見付け方向に平行な線よりも、前記ピンの移動範囲が越える側にずれた位置に設けられる補助錠。
【請求項２】
前記係止部は、複数設けられる請求項１に記載の補助錠。
【請求項３】
請求項１または請求項２に記載の補助錠が設けられている建具。
【発明の詳細な説明】
【技術分野】
【０００１】
本発明は、補助錠およびこれを備えた建具に係り、具体的には、補助錠の施錠性能の向上に関する。
【背景技術】
【０００２】
従来、片引き窓や引違い窓等のサッシ窓に取り付けられる補助錠として、可動する障子の框枠からストッパを突没させるように構成した補助錠が知られている（例えば特許文献１参照）。この補助錠では、ストッパは常時、框枠内に没入する方向に圧縮ばね等の付勢部材で付勢されている。ストッパを突出させて障子の開口幅を制限する場合に、専用のキーを補助錠に差し入れて回動させると、キーの回動操作に伴って楔状のスライダがストッパに接触しながら移動し、スライダの楔作用により、ストッパが付勢部材の付勢力に抗して突出する。
【０００３】
このような補助錠によれば、キーを逆方向に回動させてスライダを戻すと、付勢部材の付勢力によりストッパが框枠内に没入する。ところが実際には、わざわざ専用のキーを用いなくとも、キー挿入部を指先の腹部分で押圧しながら回動可能な場合があり、ストッパをキー無しで没入させることができ、施錠性能上問題となる。しかも、キー挿入部の回動操作は、所定量回動させた後では、付勢部材の付勢力を開放させる方向に行われ、その付勢力にてアシストされ、この点においてキー無しにおける回動操作を容易にしている。
【０００４】
一方、他の補助錠としては、キー操作に連動してスライドする連動板を有するとともに、連動板にカム溝として機能する長溝を設けておき、ストッパに設けられた摺動ピンをカムフォロアとして長溝内を摺動させる補助錠も知られている（例えば特許文献２参照）。この補助錠では、連動板には小孔が設けられ、この小孔にはボールプランジャのボールがあてがわれる。この構成により、連動板をスライドさせるためには、プランジャーのばねで付勢されたボールを一旦押し上げる必要があることから、操作時には抗力によりクリック感が生じ、操作性を良好にできる。
【先行技術文献】
【特許文献】
【０００５】
【特許文献１】特開２００４−３６０３１２号公報
【特許文献２】特開２００６−６３６１９号公報
【発明の概要】
【発明が解決しようとする課題】
【０００６】
特許文献１では、キー挿入部をキー無しでも操作可能なことから、施錠性能上問題となるが、このような特許文献１に対して、特許文献２のようなプランジャボール等により抗力によるクリック感を付与することで、施錠性能を向上させることが考えられる。すなわち、操作時に抗力によるクリック感を持たせることで、操作開始の段階で一時的に大きな操作力が必要となり、キー挿入部を指先の腹部分で押圧しながら回動しただけでは十分な操作力を発揮できず、キー無しでの操作が困難となって施錠性能が改善される。
しかしながら、抗力を生じさるクリック機構を設けることで構造が複雑になるため、組立性や耐久性、あるいはコスト面で問題となる可能性がある。
【０００７】
本発明の目的は、簡易な構造で抗力によるクリック感を得ることができ、施錠性能を確実に向上させたることができる補助錠およびこれを備えた建具を提供することにある。
【課題を解決するための手段】
【０００８】
本発明の補助錠は、窓枠または該窓枠内に配置される障子の框枠に取り付けられるベースと、前記ベースの見付け方向の一端側に配置されるスライダと、前記ベースの見付け方向の他端側に配置されて該ベースに対して突没するストッパと、一端が前記スライダに回動自在に連結され、他端が前記ストッパに回転自在に連結されるリンクと、前記スライダと前記ベースとの間に配置されて前記スライダを前記一端側に付勢し、前記スライダの前記他端側へのスライド中に付勢力が増加し続けるように設けられる付勢部材と、前記スライダを前記付勢部材の付勢力に抗して前記他端側にスライドさせることで、前記ストッパを前記リンクを介して前記ベースより突出させる回動自在なカムとを備え、前記カムは、キー操作可能に設けられるとともに、前記スライダに設けられたカム溝に係合するピンを有し、前記スライダのカム溝は、直線状の直線部と、前記直線部の前記ピンの移動端に対応する端部に設けられた係止部とで構成され、前記係止部は、前記直線部に対して前記付勢部材の付勢方向とは反対側に向けて窪み、かつ前記カムの回動中心を通る見付け方向に平行な線よりも、前記ピンの移動範囲が越える側にずれた位置に設けられることを特徴とする。
【０００９】
本発明によれば、スライダのカム溝の端部には、カムのピンが係止される係止部が設けられ、この係止部がスライダの付勢方向とは反対側に窪んでいるため、この係止部にピンが係止された状態からカムを回動させようとすると、初めの段階でピンを係止部から脱出させる必要があることから、クリック感が生じる程に付勢力に抗した大きな操作力が必要となり、キー無しでの操作が困難になって施錠性能を向上させることができる。また、係止部は、カム溝の直線部の延長として切り欠く等すればよく、構造が簡単である。
【００１０】
また、ここでの「平行な線」とは、仮想上の線である。
ストッパが突出している状態で、ピンの位置がカムの回動中心を通り、かつ見付け方向に平行な線上にある時、付勢部材の付勢力が最大となる。このため、そのような線を越えた位置に係止部が設けられ、その位置で係止部にピンが係止されていると、この係止状態を解除してストッパを没入させるためには、ピンがその線を通過しなければならず、最大の付勢力に抗してカムを回動操作させることになって、キー無しでの操作をより困難にできる。また、前述の線を越えた位置でピンが係止されていると、ピンを介してカムが戻り側（ストッパが没入する側）とは反対回りに付勢されることになるから、何らかの理由でストッパに没入側へ無理な外力が働き、その際の外力がリンクおよびスライダを介してピンに作用しても、カムが戻り側に回動することがなく、外力によってストッパが容易に没入するといった不具合が生じるのを確実に防止できる。
【００１１】
本発明の補助錠では、前記係止部は、複数設けられることが好ましい。
ストッパを没入した状態から突出させる場合、キーの回動範囲が大きいと、姿勢を崩しながらキーを回動させなければならず、操作性が悪い。本発明では、係止部を複数設けることで、キーを最後まで操作する間にピンを係止部に係止させ、この係止状態が生じたことによりキーから一旦手を離し、キーを持ちかえて摘み直せば、楽な姿勢やより操作力を発揮し易い体勢で最後までキーを操作でき、操作性を向上させることができる。
本発明の建具は、以上に記載のいずれかの補助錠を備えていることを特徴とし、前述したように、本発明の目的を達成できる。
【発明の効果】
【００１２】
施錠性能を向上させた補助錠およびこれを備えた建具を提供できる。
【図面の簡単な説明】
【００１３】
【図１】本発明の一実施形態に係る補助錠が採用された片引き窓を示す内観図。
【図２】前記片引き窓の縦断面図であり、図１の矢印II−IIから見た矢視図。
【図３】前記片引き窓の横断面図であり、図１の矢印III−IIIから見た矢視図。
【図４】前記補助錠を示す断面図
【図５】前記補助錠を示す分解斜視図。
【図６】前記補助錠の要部を示す拡大図。
【図７】前記補助錠の動きを説明するための説明図。
【図８】前記補助錠の動きの初期段階を説明するための説明図。
【図９】前記要部の変形例を示す拡大図。
【図１０】前記片引き窓の変形例を示す縦断面図。
【図１１】前記片引き窓の変形例を示す横断面図。
【発明を実施するための形態】
【００１４】
以下、本発明の一実施形態を図面に基づいて説明する。
図１から図３において、本実施形態に係る建具としての片引き窓１は、建物躯体の開口部分に建て付けられる窓枠１０と、窓枠１０内の室内側寄りに嵌め殺し状態に取り付けられる固定障子３０と、窓枠１０内の室外側寄りに見付け方向に沿って開閉自在に取り付けられる可動障子５０とを備える。窓枠１０の上部には、可動障子５０の開口幅を必要に応じて制限するための補助錠７０が設けられる。
【００１５】
窓枠１０は、左右一対の縦枠１１と、上下の上枠１２および下枠１３とを四周枠組した構成である。
図３中の右側に示す一方の縦枠１１の室内側には、先端に取付ポケットを有する縦室内片１４が設けられ、その室外側には２条の係止片１５，１６が設けられている。
【００１６】
上枠１２の室内外方向の中央には、見付け方向に沿って連続した垂設片１７が設けられ、この室内側には、取付ポケットを有する上室内片１８が設けられている。その取付ポケットには、図示略の断面コ字状の保持材が取り付けられている。この保持材と垂設片１７との間は、固定障子３０の上部が保持されるとともに、補助錠７０が収容される室内側上保持溝１９とされ、垂設片１７とその室外側に設けられた上室外片２０との間は、可動障子５０の上部が摺動自在に保持される室外側上保持溝２１になっている。室内側上保持溝１９において、固定障子３０および補助錠７０が取り付けられる部分以外は、下方から係合される上溝カバー２２で塞がれる。
【００１７】
下枠１３の室内外方向の中央には、見付け方向に沿って連続した立上片２３が設けられ、この室内側には、取付ポケットを有する下室内片２４が設けられている。その取付ポケットにも、図示略の断面コ字形状の保持材が取り付けられている。この保持材と立上片２３との間は、固定障子３０の下部が保持される室内側下保持溝２５になっている。室内側下保持溝２５において、固定障子３０が取り付けられる部分以外は、上方から係合される下溝カバー２６で塞がれる。立上片２３の室外側には、見付け方向に沿って連続したレール２７が設けられている。レール２７上を戸車５８が転動することで、可動障子５０が開閉する。
【００１８】
固定障子３０は、窓枠１０の見付け方向の略中央で、立上片２３の室内側に立設された召合せ用の方立て３１と、四方の辺縁が保持された矩形状のパネル３２とを備える。パネル３２の各辺縁は、前述した上枠１２の室内側上保持溝１９、下枠１３の室内側下保持溝２５、方立て３１に設けられた室内側縦保持溝３３、および一方の縦枠１１に設けられた室内側縦保持溝３４によって保持される。この際、方立て３１の室内側縦保持溝３３は、方立て３１の室内側に一体に設けられた保持片３５と、方立て３１に取り付けられる断面Ｌ字状の外押縁３６とにより形成される。縦枠１１の室内側縦保持溝３４は、縦室内片１４の取付ポケットに取り付けられる保持材２８と、係止片１５，１６に係止される断面Ｌ字状の外押縁２９とにより形成される。
【００１９】
可動障子５０は、左右の縦框５１と、上下の上框５２および下框５３とを四周框組した框枠の開口部分にパネル５４を嵌め込んだ構成である。各框５１，５２，５３には、パネル縦保持溝５５、パネル上保持溝５６、およびパネル下保持溝５７が設けられ、各保持溝５５，５６，５７内にパネル５４の四方の辺縁が保持される。下框５３には、前述の戸車５８が設けられる。一対の縦框５１のうち、他方の縦枠１１と対向する縦框５１（召合せ框とは反対側の縦框）は、室内側に延出した中空の延出部５９を有する。延出部５９は、可動障子５０の開放時に、方立て３１に対して見付け方向に近接対向する。延出部５９には、可動障子５０の閉鎖時に、縦枠１１に係合する錠６１が設けられる。
【００２０】
以下には、補助錠７０について詳説する。
図１、図２において、補助錠７０は、閉鎖時の可動障子５０の室内側に対応した位置であって、上枠１２の室内側上保持溝１９内に収容される。補助錠７０を機能させることにより、可動障子５０が所定の開口幅（例えば、１１０mm程度）以上に開くのを防止する。
【００２１】
図２、図４において、上枠１２の室内側上保持溝１９を区画形成する上面部１９Ａの上側には、裏板６２が配置される。上面部１９Ａの下側には、裏板６２に螺合されるねじにより取付ブラケット６３が取り付けられる。取付ブラケット６３には、下方に開口した凹状部分が設けられ、凹状部分の見付け方向の両端には、水平なフランジが設けられている。補助錠７０は、凹状部分に嵌め込まれた状態でフランジにねじ止めされる。
【００２２】
図４、図５において、補助錠７０は、取付ブラケット６３内に嵌め込まれた状態で上枠１２に取り付けられる箱状のベース７１と、ベース７１内の見付け方向の一端側に配置されたスライダ７２と、ベース７１内の見付け方向の他端側に配置されてベース７１に対して突没するストッパ７３と、スライダ７２およびストッパ７３を連結するリンク７４と、スライダ７２を見付け方向の一端側（ストッパ７３とは反対側）に付勢する付勢部材としての圧縮ばね７５と、スライダ７２を圧縮ばね７５の付勢力に抗して他端側にスライドさせるカム７６と、カム７６が設けられるとともにストッパ７３を突出させるための開口部分を有してベース７１に取り付けられるカバー７７とを備える。
【００２３】
ベース７１の一対の側壁には、見付け方向に沿って長い長孔７８が設けられている。スライダ７２には、室内外方向に貫通するスライド軸７９が設けられ、スライド軸７９の両端が長孔７８に摺動自在に係合されている。スライダ７２は、長孔７８で規定されるストローク分だけスライド軸７９と共に見付け方向にスライドする。スライド軸７９には、リンク７４の基端が取り付けられる。また、スライダ７２の端面部分には、ピアス加工等により円形のばね座８１が設けられている。一方、ベース７１の上面部分には、切り起こし加工等によりばね座８２が設けられている。これらのばね座８１，８２間に圧縮ばね７５が圧縮された状態で配置される。
【００２４】
ストッパ７３は、回動軸８３を介してベース７１の他端側に軸支されている。ストッパ７３の回動軸８３よりもスライダ７２寄りには、回動軸８４を介してリンク７４の先端側が軸支されている。回動軸８４の位置は、ストッパ７３がベース７１内に没している状態において、スライド軸７９よりも下方に位置しており、スライダ７２が圧縮ばね７５の付勢力に抗してストッパ７３側にスライドすると、リンク７４はその先端側が下方に向くように回動し、ストッパ７３が下方に回動して突出する。反対に、スライダ７２がストッパ７３から離間する方向にスライドすると、リンク７４はその先端が上方に向くように回動し、ストッパ７３が上方に回動して没入する。
【００２５】
スライダ７２は、カム７６の回動によりスライドする。カム７６の下面には、任意の形状のキー穴８５が設けられている。キー穴８５には、下方から専用のキー４０が差し込まれ、１８０度を僅かに超える角度範囲で回動操作される。カム７６の上面には、上方に突出したピン８６が設けられ、このピン８６がカムフォロアとして機能する。ピン８６は、円柱状のカム７６の回動中心Ｏに対して偏心した位置に設けられ、キー操作に伴い円弧状の回動軌跡に沿って移動する。ピン８６は、スライダ７２の下面に設けられたスリット８７に係合する。スリット８７がカム溝として機能することで、ピン８６の円弧状の移動に伴ってスライダ７２が見付け方向にスライドする。
【００２６】
ここで、図６に拡大して示すように、スリット８７は、直線状の直線部８８と、直線部の一端側に設けられた係止部８９とで構成される。係止部８９は直線部８８に対し、圧縮ばね７５による付勢方向（図中の白抜き矢印参照）とは反対側に向けて切り欠かれ、窪んでいる。ストッパ７３が完全に没入している状態、および完全に突出している状態では、ピン８６が係止部８９に係止される。つまり、係止部８９は、ピン８６の移動端に対応した位置に設けられている。また、係止部８９は、カム７６の回動中心Ｏを通る見付け方向に平行な線Ａ−Ａよりも、ピン８６の移動範囲が越える側に角度θ１ずれた位置に設けられ、図中においては、線Ａ−Ａより下方位置で係止部８９にピン８６が係止される。ストッパ７３を没入した状態から突出した状態に回動させるまでの間では、カム７６の回動操作の開始に併せてピン８６が係止部８９から脱し、スリット８７の直線部８８を図中上下に往復動して、回動操作の終わりで再度係止部８９に入り込む。
【００２７】
以下には、カム７６の回動に伴うピン８６、スライダ７２、ストッパ７３、および圧縮ばね７５の変化について、図７に基づいて説明する。図７（Ａ）では、スライダ７２がストッパ７３から最も離間しており、リンク７４の先端側が上方に回動していてストッパ７３が没入した状態にある。この時、圧縮ばね７５の圧縮量が最も少なく、ピン８６はスリット８７の係止部８９に入り込んでいる。
【００２８】
この状態から、カム７６のキー挿入部にキー４０（図５）を差し入れてカム７６を時計方向に回動させると、図７（Ｂ）に示すように、ピン８６は係止部８９から外れ、円弧状の軌跡を描くように移動し始める。そして、カム７６の回動に伴いピン８６は、スリット８７の一方の内縁８７Ａを押圧するようにしてスリット８７の直線部８８内を図中の上方に移動し、圧縮ばね７５を圧縮させながらスライダ７２をストッパ７３側にスライドさせる。従って、ストッパ７３は、次第に下方に突出し始める。
【００２９】
カム７６を略９０度回動させると、ピン８６の動きが反転し、スリット８７の直線部８８内を図中の下方に向けて移動するようになる（図７（Ｃ））。この場合でも、ピン８６は、スライダ７２を圧縮ばね７５のばね力に抗しながらストッパ７３側にスライドさせる。このため、圧縮ばね７５はより圧縮した状態となり、カム７６を回動させるために要するキー４０の操作力も次第に大きくなる。
【００３０】
図７（Ｄ）に示すように、カム７６を約１８０度回動させると、ピン８６はスリット８７の直線部８８と係止部８９との境界部分である角部８７Ｂに達し、スライダ７２のスライド量が最大になるとともに、圧縮ばね７５の圧縮量が最大となる。そして、キー４０をさらに捻ってカム７６を１８０度から僅かに回動させると、ピン８６が係止部８９に入り込んで係止される。この時、圧縮ばね７５の圧縮量およびスライダ７２のスライド量は、係止部８９の切り欠き分だけ最大量からわずかに戻るが、ストッパ７３は完全に突出することとなり、ストッパ７３に設けられた当接面７３Ａが略鉛直となる。この当接面７３Ａに可動障子５０の縦框５１に設けられた延出部５９が当接することで、可動障子５０の開口幅が制限される。
【００３１】
次に、ストッパ７３が完全に突出した状態にあり、ピン８６がスリット８７の係止部８９に係止されている状態から、スライダ７２を戻してストッパ７３の没入を開始させる動作について、図８(Ａ)および図８（Ｂ）に基づいて説明する。
【００３２】
先ず、図８（Ａ）に示すように、ピン８６が係止部８９に入り込んでいる状態から、カム７６を反時計方向に角度θ２だけ回動させると、図８（Ｂ）に示すように、ピン８６が角部８７Ｂを乗り越えて脱出する。この際にスライダ７２は、圧縮ばね７５のばね力に抗して移動量Ｓだけ僅かにストッパ７３側に移動し、圧縮ばね７５をより縮める。その後、カム７６の回動に伴ってピン８６は、円弧状の回動軌跡に沿って戻り始め、スリット８７の内縁８７Ａに押圧されながら、スリット８７の直線部分を図中の上方に移動する。
【００３３】
すなわち、カム７６を戻してストッパ７３を没入させる場合には、ピン８６を先ず係止部８９から脱出させなければならない。そのためには、ピン８６がスリット８７の角部８７Ｂを乗り越えるように、一旦圧縮ばね８５を縮めてスライダ７２をストッパ７３側に移動させる必要があり、抗力によるクリック感が生じる程に大きな力が要求される。従って、専用のキー４０無しでは、カム７６を戻すことは困難である。
【００３４】
なお、図示しないが、ストッパ７３を没入した状態から突出させる場合にも、ピン８６を先ず係止部８９から脱出させる必要があるが、この時点では、圧縮ばね７５の圧縮量が最少の状態にあるから、ピン８６が角部８７Ｂを乗り越えるために、圧縮ばね７５のばね力に抗してスライダ７２を動かすのに要する力は僅かであり、クリック感も小さい。この場合、初めのうちは、キー４０無しでもカム７６を回動させることが可能であるが、ストッパ７３が突出する方向にカム７６が動き易い分には、施錠性能上は問題とならない。
【００３５】
以上に説明した実施形態によれば、次の効果がある。
（１）すなわち、補助錠７０において、スライダ７２のスリット８７の端部には、圧縮ばね７５の付勢力に抗する方向に窪んだ係止部８９が設けられ、ストッパ７３が完全に突出した状態では、その係止部８９にカム７６のピン８６が係止されているので、カム７６を戻り側に回動操作してストッパ７３を没入させようとした場合には、回動操作の初めの段階でピン８６を一旦大きな操作力で係止部８９から脱出させる必要がある。従って、そのような操作力を発揮させるには、キー４０を必要とし、指の腹でカム７６を押圧しても回動しないようにできて、施錠性能を向上させることができる。
【００３６】
（２）また、カム７６を回動させるにあたっては、一旦大きな操作力によりピン８６を係止部８９から脱出させることから、脱出時に抗力によるクリック感を得ることができる。また、係止部８９をスリット８７の直線部８８の延長として切り欠くことで形成でき、加工や構造を簡単にできる。
【００３７】
（３）さらに、補助錠７０では、ストッパ７３が突出している状態で、ピン８６の位置がカム７６の回動中心Ｏを通る見付け方向に平行な線Ａ−Ａ上にある時、圧縮ばね８５の付勢力が最大となる。従って、線Ａ−Ａを越えた位置で係止部８９にピン８６が係止されていると、この係止状態を解除してストッパ７３を没入させるためには、ピン８６が線Ａ−Ａを戻し側に通過しなければならないから、最大の付勢力に抗してカム７６を回動操作させることとなり、キー４０無しでの操作をより困難にできる。
【００３８】
（４）そして、線Ａ−Ａを越えた位置でピン８６が係止されていると、ピン８６を介してカム７６が戻り側とは反対回りに付勢されることになるため、何らかの理由でストッパ７３に没入側へ無理な外力が働き、その外力がリンク７４およびスライダ７２を介してピン８６に作用しても、カム７６が戻り側に回動することがなく、外力によってストッパ７３が容易に没入するといった不具合が生じるのを確実に防止できる。
【００３９】
なお、本発明は、以上に説明した実施形態に限定されず、本発明の目的を達成できる範囲での変形例等は、本発明に含まれる。
例えば、前記実施形態では、スリット８７の移動端側にのみ係止部８９が設けられていたが、移動途中の位置、つまりスリット８７の直線部分の途中位置や、係止部８９が設けられている端部とは反対側の端部に別の係止部を設けてもよい。図９には、カム７６を約９０度回動させた時点で係止される係止部９１を設けた例が示されている。このような例によれば、キー４０を差し込んでカム７６を全体の半分である約９０度回動させることで、ピン８６が係止部９１に入り込む。従って、係止部９１への係止を合図にキー４０を摘まみ直す等して、カム７６を楽な姿勢、あるいはより操作力を発揮できる体勢で最後まで回動させることが可能である。このような構造は、回動範囲が約１８０度のカム７６に限らず、２７０度や３６０度など、より大きい回動範囲で回動するカムが採用された場合に効果的である。
【００４０】
前記実施形態では、補助錠７０が上枠１２の室内側上保持溝１９に設けられていたが、図１０および図１１に示すように、上枠１２の室外側上保持溝２１に設けられてもよい。具体的に、補助錠７０は、室外側上保持溝２１を区画形成する上面部２１Ａの開口部２１Ｂに下方から挿入され、そのフランジを裏板９２に螺合されるねじにて取り付けられる。突出したストッパ７３は、上框５２に設けられた樹脂ブロック９３等の端面に当接する。
このような補助錠７０では、突出したストッパ７３が窓枠１０の上枠１２や可動障子５０の上框５２で隠れるが、カム７６までもが可動障子５０によって隠れたのでは、キー４０を差し入れて操作することができなくなるため、カム７６は開口制限幅に開けた可動障子５０に対し、縦框５１と干渉しない露出位置にずれて設けられる。
【００４１】
前記実施形態では、補助錠７０が片引き窓１に設けられた例として説明したが、本発明の補助錠を引違い窓に設けてもよい。このような場合、例えば一対の可動障子を有した引違い窓であれば、補助錠は、窓枠の上枠に対して各障子に対応させて一対設けられるか、あるいは一方の障子の框枠（上框や下框）に一つ設けられることになる。
【００４２】
前記実施形態では、本発明の付勢部材として圧縮ばね８５が用いられていたが、配置位置を変える等すれば、引張ばねを用いることが可能である。どのような付勢部材を用いてスライダを付勢させるかは、その実施にあたって任意に決められてよい。
【符号の説明】
【００４３】
１…建具である片引き窓、１０…窓枠、４０…キー、７０…補助錠、７１…ベース、７２…スライダ、７３…ストッパ、７４…リンク、７５…付勢部材である圧縮ばね、７６…カム、８６…ピン、８７…カム溝であるスリット、８８…直線部、８９…係止部、Ａ−Ａ…線、Ｏ…回動中心。
【図１】
0005914146.tif 000002
【図２】
0005914146.tif 000003
【図３】
0005914146.tif 000004
【図４】
0005914146.tif 000005
【図５】
0005914146.tif 000006
【図６】
0005914146.tif 000007
【図７】
0005914146.tif 000008
【図８】
0005914146.tif 000009
【図９】
0005914146.tif 000010
【図１０】
0005914146.tif 000011
【図１１】
0005914146.tif 000012